【手続補正書】
【提出日】平成20年9月18日(2008.9.18)
【手続補正１】
【補正対象書類名】特許請求の範囲
【補正対象項目名】全文
【補正方法】変更
【補正の内容】
【特許請求の範囲】
【請求項１】
エチレン、３〜８個の炭素原子を有するα，β−エチレン性不飽和カルボン酸、ならびに酸が２〜１０個の炭素原子を有する脂肪族カルボン酸のビニルエステル、アルキル基が１〜１０個の炭素原子を含有するアルキルビニルエーテル、およびアルキル基が１〜１０個の炭素原子を含有するアルキルアクリレートまたはメタクリレートからなる群から選択される軟化コモノマーの少なくとも１つの直接またはグラフトコポリマーを含むアイオノマー組成物であって、
前記不飽和カルボン酸含量が約１〜約２５重量パーセントであり、前記軟化コモノマー含量が０〜約６０重量パーセントであり、前記エチレン含量が約３０重量パーセントより大きいように、残りがエチレンであり、さらに前記α，β−エチレン性不飽和カルボン酸に由来する酸基の約３〜約５０％が三価陽イオンで中和され、そして前記酸基の約７０％以下の有限量が一価または二価陽イオンで中和されているアイオノマー組成物。
【請求項２】
請求項１に記載のアイオノマー組成物とポリエチレン、ポリプロピレンおよびそれらのコポリマー、ポリブテン−１、ポリ（４−メチルペンテン−１）、ポリスチレンおよびそれらのコポリマーからなる群から選択される少なくとも１つの熱可塑性ポリマーとを含むポリマーブレンド。
【請求項３】
約１０〜約２００ｋｇ／ｍ3の密度を有し、そして請求項１に記載のアイオノマー組成物または請求項２に記載のポリマーブレンドを含む発泡組成物。
【請求項４】
約１０〜約２００ｋｇ／ｃｍ3の密度を有し、そしてエチレン、３〜８個の炭素原子を有するα，β−エチレン性不飽和カルボン酸、ならびに酸が２〜１０個の炭素原子を有する脂肪族カルボン酸のビニルエステル、アルキル基が１〜１０個の炭素原子を含有するアルキルビニルエーテル、およびアルキル基が１〜１０個の炭素原子を含有するアルキルアクリレートまたはメタクリレートからなる群から選択される軟化コモノマーとの少なくとも１つの直接またはグラフトコポリマーを含む発泡組成物であって、
前記不飽和カルボン酸含量が約１〜約２５重量パーセントであり、前記軟化コモノマー含量が０〜約６０重量パーセントであり、前記エチレン含量が約３０重量パーセントより大きいように、残りがエチレンであり、さらに前記α，β−エチレン性不飽和カルボン酸に由来する酸基の約３〜約５０％が三価陽イオンで中和され、そして前記酸基の０〜約７０％が一価または二価陽イオンで中和されている発泡組成物。
【請求項５】
超吸収性ポリマーの少なくとも１つの層に接触した請求項３又は４に記載の発泡組成物の少なくとも１つの層を含む多層構造体。
【請求項６】
請求項１に記載のアイオノマー組成物または請求項２に記載のポリマーブレンドまたは請求項３又は４の発泡組成物または請求項５に記載の多層構造体を含む物品。
【請求項７】
アイオノマー組成物と熱可塑性樹脂またはエラストマーとの溶融加工可能なブレンドの製造方法であって、
（Ａ）約１５０℃〜約３００℃で、
ａ．エチレン、３〜８個の炭素原子を有するα，β−エチレン性不飽和カルボン酸、ならびに酸が２〜１０個の炭素原子を有する脂肪族カルボン酸のビニルエステル、アルキル基が１〜１０個の炭素原子を含有するビニルエーテル、およびアルキル基が１〜１０個の炭素原子を含有するアルキルアクリレートまたはメタクリレートからなる群から選択される軟化コモノマーの約１５〜約１００重量％の直接またはグラフトコポリマーであって、前記コポリマーの前記エチレン含量が約３０重量パーセントより大きく、前記カルボン酸含量が約１〜約２５重量パーセントであり、そして前記軟化コモノマー含量が０〜約６０重量パーセントであるグラフトコポリマーと、
ｂ．その熱可塑性樹脂または熱可塑性エラストマーがアルミニウムイオン源と非反応性であるポリアミド、ポリエステル、ポリエステルエーテル、芳香族置換エチレン性不飽和モノマーとジオレフィンとのブロックコポリマーおよび前記コポリマーの水素化誘導体、ポリウレタン、ならびにポリオレフィン樹脂からなる群から選択される、約８５重量％以下の有限量の少なくとも１つの熱可塑性樹脂または熱可塑性エラストマーと
を混合する工程と、
（Ｂ）前記混合に続いてまたはそれと同時に、前記カルボン酸基の約３〜約５０％を三価イオン源で中和し、そして前記酸基の約７０％以下の有限量を一価または二価イオン源で中和する工程と
を含む方法。
【請求項８】
請求項７に記載の方法から得られる製品。
【手続補正２】
【補正対象書類名】明細書
【補正対象項目名】００６０
【補正方法】変更
【補正の内容】
【００６０】
本発明の実施形態の前述の開示は、例示および説明の目的のために提示されてきた。それは、包括的であることを、または本発明を記載された正確な形に限定することを意図するものではない。本明細書に記載された実施形態の多くの変形および変更は本開示を踏まえて当業者には明らかであろう。
次に、本発明の好ましい態様を示す。
1.  エチレン、３〜８個の炭素原子を有するα，β−エチレン性不飽和カルボン酸、ならびに酸が２〜１０個の炭素原子を有する脂肪族カルボン酸のビニルエステル、アルキル基が１〜１０個の炭素原子を含有するアルキルビニルエーテル、およびアルキル基が１〜１０個の炭素原子を含有するアルキルアクリレートまたはメタクリレートからなる群から選択される軟化コモノマーの少なくとも１つの直接またはグラフトコポリマーを含むアイオノマー組成物であって、
前記不飽和カルボン酸含量が約１〜約２５重量パーセントであり、前記軟化コモノマー含量が０〜約６０重量パーセントであり、前記エチレン含量が約３０重量パーセントより大きいように、残りがエチレンであり、さらに前記α，β−エチレン性不飽和カルボン酸に由来する酸基の約３〜約５０％が三価陽イオンで中和され、そして前記酸基の約７０％以下の有限量が一価または二価陽イオンで中和されているアイオノマー組成物。
2.  溶融強度および溶融粘度が、同じコポリマーを含有するが一価または二価陽イオンのみで中和されたアイオノマーを含む組成物のそれより高く、そして約１００秒-1未満の剪断速度での温度に対する溶融粘度の感受性が、同じコポリマーを含有するが一価または二価陽イオンのみで中和されたアイオノマーを含む組成物のそれより低い上記１に記載のアイオノマー組成物。
3.  約１５，０００ｐｓｉ未満の屈曲弾性率を有する上記１に記載のアイオノマー組成物。
4.  上記１に記載のアイオノマー組成物とポリエチレン、ポリプロピレンおよびそれらのコポリマー、ポリブテン−１、ポリ（４−メチルペンテン−１）、ポリスチレンおよびそれらのコポリマーからなる群から選択される少なくとも１つの熱可塑性ポリマーとを含むポリマーブレンド。
5.  ポリエチレンを含む上記４に記載のポリマーブレンド。
6.  線状低密度ポリエチレンを含む上記５に記載のポリマーブレンド。
7.  スチレン−イソプレンブロックコポリマー、スチレン−ブタジエンブロックコポリマー、スチレン−エチレン−ブタジエンブロックコポリマー、エチレン−プロピレンゴムおよびエチレン−プロピレン−ジエンモノマーゴムからなる群から選択される少なくとも１つのエラストマーをさらに含む上記４に記載のポリマーブレンド。
8.  約１０〜約２００ｋｇ／ｍ3の密度を有し、そして上記１〜３のいずれか一項に記載のアイオノマー組成物または上記４〜７のいずれか一項に記載のポリマーブレンドを含む発泡組成物。
9.  約１０〜約２００ｋｇ／ｃｍ3の密度を有し、そしてエチレン、３〜８個の炭素原子を有するα，β−エチレン性不飽和カルボン酸、ならびに酸が２〜１０個の炭素原子を有する脂肪族カルボン酸のビニルエステル、アルキル基が１〜１０個の炭素原子を含有するアルキルビニルエーテル、およびアルキル基が１〜１０個の炭素原子を含有するアルキルアクリレートまたはメタクリレートからなる群から選択される軟化コモノマーとの少なくとも１つの直接またはグラフトコポリマーを含む発泡組成物であって、
前記不飽和カルボン酸含量が約１〜約２５重量パーセントであり、前記軟化コモノマー含量が０〜約６０重量パーセントであり、前記エチレン含量が約３０重量パーセントより大きいように、残りがエチレンであり、さらに前記α，β−エチレン性不飽和カルボン酸に由来する酸基の約３〜約５０％が三価陽イオンで中和され、そして前記酸基の０〜約７０％が一価または二価陽イオンで中和されている発泡組成物。
10.  発泡体気泡の少なくとも５０％が連続気泡である上記８または９に記載の発泡組成物。
11.  超吸収性ポリマーの少なくとも１つの層に接触した上記８または９または１０に記載の発泡組成物の少なくとも１つの層を含む多層構造体。
12.  上記１〜３のいずれか一項に記載のアイオノマー組成物または上記４〜７のいずれか一項に記載のポリマーブレンドまたは上記８もしくは９もしくは１０の発泡組成物または上記１１に記載の多層構造体を含む物品。
13.  おむつ、成人失禁用パッドおよび生理用ナプキンからなる群から選択される上記１２に記載の物品。
14.  アイオノマー組成物と熱可塑性樹脂またはエラストマーとの溶融加工可能なブレンドの製造方法であって、
（Ａ）約１５０℃〜約３００℃で、
ａ．エチレン、３〜８個の炭素原子を有するα，β−エチレン性不飽和カルボン酸、ならびに酸が２〜１０個の炭素原子を有する脂肪族カルボン酸のビニルエステル、アルキル基が１〜１０個の炭素原子を含有するビニルエーテル、およびアルキル基が１〜１０個の炭素原子を含有するアルキルアクリレートまたはメタクリレートからなる群から選択される軟化コモノマーの約１５〜約１００重量％の直接またはグラフトコポリマーであって、前記コポリマーの前記エチレン含量が約３０重量パーセントより大きく、前記カルボン酸含量が約１〜約２５重量パーセントであり、そして前記軟化コモノマー含量が０〜約６０重量パーセントであるグラフトコポリマーと、
ｂ．その熱可塑性樹脂または熱可塑性エラストマーがアルミニウムイオン源と非反応性であるポリアミド、ポリエステル、ポリエステルエーテル、芳香族置換エチレン性不飽和モノマーとジオレフィンとのブロックコポリマーおよび前記コポリマーの水素化誘導体、ポリウレタン、ならびにポリオレフィン樹脂からなる群から選択される、約８５重量％以下の有限量の少なくとも１つの熱可塑性樹脂または熱可塑性エラストマーと
を混合する工程と、
（Ｂ）前記混合に続いてまたはそれと同時に、前記カルボン酸基の約３〜約５０％を三価イオン源で中和し、そして前記酸基の約７０％以下の有限量を一価または二価イオン源で中和する工程と
を含む方法。
15.  前記三価イオンがアルミニウムイオンである上記１４に記載の方法。
16.  前記溶融加工可能なブレンドを発泡させる工程をさらに含む上記１４または１５に記載の方法。
17.  上記１４〜１６のいずれか一項に記載の方法から得られる製品。